(57)【要約】      （修正有）【課題】金属パネルにたわみが生じにくくできる上に、隣り合う金属パネル同士が相互にガタついて生じる騒音を抑制できるパネルフェンス及びこれが備えた金属パネルを提供する。【解決手段】フェンス材が、幅方向が框材の長手方向に平行となるように積み上げられた複数の金属パネル７により構成されたパネルフェンスであり、複数の金属パネル７の各々は、幅方向の一方の端部に形成された嵌合凹部７６と、幅方向の他方の端部に形成された嵌合凸部７８とを備え、嵌合凹部７６の底面７６２および嵌合凸部７８の頂面７８２のうち、いずれか一方に突条部７７が形成されると共に他方に溝部７９が形成され、複数の金属パネル７のうちの一の金属パネル７の嵌合凸部７８が、隣接する金属パネル７の嵌合凹部７６に嵌め込まれると共に、突条部７７が溝部７９に嵌め込まれる。【選択図】図４
2018123584.tif 000002
【特許請求の範囲】
【請求項１】
互いに平行な一対の框材にフェンス材が架け渡され、
前記フェンス材が、幅方向が前記框材の長手方向に平行となるように積み上げられた複数の金属パネルにより構成されたパネルフェンスであって、
前記複数の金属パネルの各々は、
前記幅方向の一方の端部に形成された嵌合凹部と、
前記幅方向の他方の端部に形成された嵌合凸部と
を備え、
前記嵌合凹部の底面および前記嵌合凸部の頂面のうち、いずれか一方に前記金属パネルの長手方向に沿った突条部が形成されると共に他方に前記長手方向に沿った溝部が形成されており、
前記複数の金属パネルのうちの一の金属パネルの嵌合凸部が、隣接する金属パネルの嵌合凹部に嵌め込まれると共に、前記突条部が前記溝部に嵌め込まれている
ことを特徴とするパネルフェンス。
【請求項２】
前記突条部が前記嵌合凹部の底面に設けられると共に、前記溝部が前記嵌合凸部の頂面に設けられている
ことを特徴とする請求項１記載のパネルフェンス。
【請求項３】
前記突条部は、先端側に位置するほど幅狭に形成されており、
前記溝部は、開口側に位置するほど幅広に形成されている
ことを特徴とする請求項１又は請求項２記載のパネルフェンス。
【請求項４】
請求項１〜３のいずれか一項に記載のパネルフェンスが備える金属パネル。
【発明の詳細な説明】
【技術分野】
【０００１】
本発明は、パネルフェンス及びこれが備えた金属パネルに関する。
【背景技術】
【０００２】
特許文献１には、従来のパネルフェンスが開示されている。この特許文献１記載のパネルフェンスは、左右方向に離れた一対の平行框に対し、複数のパネルが架け渡されている。各パネルは、幅方向が上下方向に平行となるように配置されており、幅方向の一方の端部に嵌合凹部が形成され、他方の端部に嵌合凸部が形成されている。複数のパネルは、隣り合うパネル同士が嵌合凸部と嵌合凹部とで凹凸嵌合することで、上下方向に積み上げられている。
【先行技術文献】
【特許文献】
【０００３】
【特許文献１】実用新案登録第３１３０６２４号公報
【発明の概要】
【発明が解決しようとする課題】
【０００４】
ところで、この従来のパネルフェンスは、複数のパネル同士が嵌合凹部と嵌合凸部とで嵌合して接続されているものの、嵌合凹部に嵌合凸部を嵌め込むためには、嵌合凹部の幅に大きめの公差が必要である。
【０００５】
このため、従来のパネルフェンスでは、強風によって正圧または負圧がパネルに掛かると、上下方向に積み上げられた複数のパネル同士が、嵌合凹部と嵌合凸部との間で相互にガタついて、金属同士が衝突する騒音が生じるという問題がある。
【０００６】
さらに、強風による正圧または負圧により、パネルが長手方向にたわんでしまうこともあった。
【０００７】
本発明は、上記事情に鑑みてなされたものであり、その目的とするところは、金属パネルにたわみが生じにくくできる上に、隣り合う金属パネル同士が相互にガタついて生じる騒音を抑制できるパネルフェンス及びこれが備えた金属パネルを提供することにある。
【課題を解決するための手段】
【０００８】
本発明のパネルフェンスは、互いに平行な一対の框材にフェンス材が架け渡され、前記フェンス材が、幅方向が前記框材の長手方向に平行となるように積み上げられた複数の金属パネルにより構成されたパネルフェンスであって、前記複数の金属パネルの各々は、前記幅方向の一方の端部に形成された嵌合凹部と、前記幅方向の他方の端部に形成された嵌合凸部とを備え、前記嵌合凹部の底面および前記嵌合凸部の頂面のうち、いずれか一方に前記金属パネルの長手方向に沿った突条部が形成されると共に他方に前記長手方向に沿った溝部が形成されており、前記複数の金属パネルのうちの一の金属パネルの嵌合凸部が、隣接する金属パネルの嵌合凹部に嵌め込まれると共に、前記突条部が前記溝部に嵌め込まれていることを特徴とする。
【０００９】
またこのパネルフェンスにおいて、前記突条部が前記嵌合凹部の底面に設けられると共に、前記溝部が前記嵌合凸部の頂面に設けられていることが好ましい。
【００１０】
またこのパネルフェンスにおいて、前記突条部は、先端側に位置するほど幅狭に形成されており、前記溝部は、開口側に位置するほど幅広に形成されていることが好ましい。
【００１１】
本発明の金属パネルは、上記パネルフェンスが備えることを特徴とする。
【発明の効果】
【００１２】
本発明のパネルフェンス及びこれが備えた金属パネルによれば、金属パネルにたわみが生じにくくできる上に、隣り合う金属パネル同士が相互にガタついて生じる騒音を抑制することができる。
【図面の簡単な説明】
【００１３】
【図１】本発明の一実施形態のパネルフェンスの使用状態の斜視図である。
【図２】同上のパネルフェンスの分解斜視図である。
【図３】同上の框材周辺の平面図である。
【図４】同上の金属パネルの鉛直面に沿った断面図である。
【図５】同上の上下方向に隣り合う金属パネルの嵌合凸部と嵌合凹部との連結状態の要部断面図である。
【発明を実施するための形態】
【００１４】
以下、本発明の実施形態について添付図面に基づいて説明する。
【００１５】
本実施形態のパネルフェンスは、図１に示すように、一定の間隔を置いて配置された複数の平行框１と、平行框１の間に架け渡されたフェンス材６とを備えている。本実施形態のパネルフェンスは、一対の平行框１とフェンス材６とで構成された構造が、左右方向に同じように繰り返し形成されている。このため、以下においては、一対の平行框１とフェンス材６とで構成された部分について説明し、同じ構造については説明を省略する。
【００１６】
複数の平行框１は、フェンス材６を支持する支柱である。各平行框１は、図２に示すように、上下方向に延びた框材１１と、フェンス材６をスライド可能に支持する支持部１４とを備えている。
【００１７】
框材１１は、地面等の設置面から立ち上げられている。框材１１は、主体を構成する框本体１２と、框本体１２の下端部に設けられた受板１３とを備えている。框本体１２は、例えばＨ型綱により構成されている。受板１３は、Ｈ型綱の下方を塞ぐようにして、例えば溶接により固定されている。
【００１８】
支持部１４は、框本体１２に固定されており、フェンス材６をスライド可能に支持することができる。各支持部１４は、上下方向に延びており、図３に示すように、框本体１２に対しフランジ片１２１とウェブ片１２２とで囲まれた部分に嵌め込まれて固定されている。支持部１４は、各框本体１２に対して取り付けられている。支持部１４は、第１の押さえ部２と、第２の押さえ部４と、第１の押さえ部２および第２の押さえ部２の框材１１側の端部同士を繋ぐ連結部３とを備えている。隣り合う框本体１２のそれぞれに取り付けられた支持部１４は、互いに向き合うようにして開口している（この開口を開口部５（図２参照）という）。
【００１９】
第１の押さえ部２は、フェンス材６の後面に当たる当接板２１と、当接板２１における連結部３側の端部から当接板２１に直交するように後方に突出したスペース板２２と、スペース板２２に直交する側板２３とを備えている。第１の押さえ部２は、当接板２１がフェンス材６に当たることで、フェンス材６の後側への移動を規制することができる。
【００２０】
連結部３は、第１の押さえ部２と第２の押さえ部４とを連結する。連結部３は、第１の押さえ部２とで成すコーナー部がＣ面取り状に形成されていると共に、第２の押さえ部４とで成すコーナー部もＣ面取り状に形成されている。
【００２１】
第２の押さえ部４は、連結部３から突出する側板４１と、側板４１の先端部からフェンス側に突出したスペース板４２と、スペース板４２のフェンス材６側の端部から連結部３側に突出する当接板４３とを備えている。第２の押さえ部４は、当接板４３がフェンス材６に当たることで、フェンス材６の前側への移動を規制することができる。
【００２２】
この支持部１４は、各框本体１２に取り付けられる。支持部１４は、框本体１２に取り付けられていない状態では、第１の押さえ部２の側板２３と第２の押さえ部４の側板４１とが、連結部３から離れるほど対向間の距離が拡がるように形成されている。これにより、支持部１４は、框材１１に対し、一対のフランジ片１２１とウェブ片１２２とで囲まれた部分に嵌め込まれると、第１の押さえ部２と第２の押さえ部４とがフランジ片１２１に圧接する。これにより、支持部１４は、框材１１に対して固定された状態で取り付けられる。
【００２３】
支持部１４が一対の框本体１２のそれぞれに取り付けられると、支持部１４の開口部５（第１の押さえ部２の先端と第２の押さえ部４の先端との間の開口）が互いに向き合う。フェンス材６は、この一対の支持部１４間に架け渡されている。
【００２４】
フェンス材６は、複数の金属パネル７によって構成されている。各金属パネル７は、図２に示すように、その幅方向が上下方向に平行となるように配置されている。また、複数の金属パネル７は、上下方向に積み上げられるように配置されており、前面が鉛直面に沿った同一平面上に位置するように構成されている。
【００２５】
図４には金属パネル７の鉛直面に沿った断面図を示す。各金属パネル７は、本体部７１と、嵌合凹部７６と、嵌合凸部７８とを備えており、長手方向に一様な断面を有する長尺物である。
【００２６】
本体部７１は、上下方向に幅を、左右方向に長さを有し、正面から見て（正面視）横長矩形状に形成されている。本体部７１は、正面板７２と、正面板７２の上端部から後方に向かって突出する上横板７４と、正面板７２の下端部から後方に向かって突出する下横板７５とを備えている。
【００２７】
正面板７２は、金属パネル７の主体を構成する部分であり、フェンス材６の前面を構成する。正面板７２は、上下方向の両端部のそれぞれに、斜め後方に折り曲げられた傾斜部７３を有している。上側の傾斜部７３の上端部から上横板７４が延出し、下側の傾斜部７３の下端部から下横板７５が延出している。
【００２８】
上横板７４は、水平面に沿って形成されている。また、下横板７５も水平面に沿って形成されている。したがって、上下方向に隣り合う金属パネル７のうち、下方の金属パネル７の上横板７４には、上方に隣接する金属パネル７の下横板７５が載るように構成される。
【００２９】
嵌合凹部７６は、上横板７４の後方側の端部に設けられており、上方に開口している。嵌合凹部７６は、金属パネル７の幅方向の一方の端部に形成されており、本実施形態の嵌合凹部７６は、金属パネル７の上端部に形成されている。嵌合凹部７６は、上横板７４の後方側の端部から下方に延出した前壁７６１と、前壁７６１の下端部から後方に延出した底面７６２と、底面７６２の後方側の端部から上方に延出した後壁７６３とを備え、全体として断面略Ｕ字状に形成されている。
【００３０】
底面７６２には、突条部７７が形成されている。突条部７７は、底面７６２から上方に突出しており、金属パネル７の長手方向に沿って形成されている。突条部７７は、先端側に位置するほど幅狭に形成されている。
【００３１】
嵌合凸部７８は、下横板７５の後方側の端部に設けられており、下方に向かって突出している。嵌合凸部７８は、金属パネル７の幅方向のうち、嵌合凹部７６とは反対側の端部に形成されており、本実施形態の嵌合凸部７８は、金属パネル７の下端部に形成されている。嵌合凸部７８は、下方に隣接する金属パネル７の嵌合凹部７６に嵌め込まれるように構成されており、これにより、隣り合う金属パネル７同士が連結される。嵌合凸部７８は、下横板７５の後方側の端部から下方に延出した凸前壁７８１と、凸前壁７８１の下端部から後方に突出した頂面７８２と、頂面７８２の後方側の端部から上方に延出した凸後壁７８３とを備え、全体として断面略Ｕ字状に形成されている。
【００３２】
頂面７８２には、溝部７９が形成されている。溝部７９は、頂面７８２から上方に凹んでおり、金属パネル７の長手方向に沿って形成されている。溝部７９は、開口側（つまり下側）に位置するほど幅広に形成されている。
【００３３】
このような構成のパネルフェンスは、次のようにして施工される。
【００３４】
作業者は、框材１１に支持部１４を取り付けた平行框１を一定の間隔を置いて設置する。このとき、框材１１は、隣り合う框材１１のそれぞれに取り付けられた支持部１４の開口部５同士が、互いに向き合う向きとなるように設置される。
【００３５】
次いで施工者は、断面Ｕ字状の縁材８（図２）を下端部に嵌め込んだ金属パネル７を、一対の支持部１４に架け渡すようにして、支持部１４の上方から差し込んで落とし込む。すると、金属パネル７は、一対の框材１１の受板１３に架け渡された状態で支持される。
【００３６】
次いで、施工者は、別の金属パネル７を、支持部１４に対して上方から差し込んで、嵌合凸部７８を、既に落とし込まれた金属パネル７の嵌合凹部７６に嵌め込む。すると、図５に示すように、嵌合凹部７６の突条部７７が、嵌合凸部７８の溝部７９に嵌まり込む。
【００３７】
作業者は、金属パネル７を、繰り返し同じように支持部１４の上方から落とし込み、複数の金属パネル７を積み上げる。その後、最上部に位置する金属パネル７の上端部に断面Ｕ字状の縁材８が取り付けられ、金属パネル７の上端部が縁材８に覆われる。
【００３８】
このように設置されたパネルフェンスは、設置する領域に応じて、框材１１を追加し、これに応じて金属パネル７が設置される。これにより、広範囲にわたってパネルフェンスを設置することができる。
【００３９】
〔効果〕
以上説明したように、本実施形態のパネルフェンスは、互いに平行な一対の框材１１にフェンス材６が架け渡される。フェンス材６は、幅方向が框材１１の長手方向に平行となるように積み上げられた複数の金属パネル７により構成される。パネルフェンスにおいて、複数の金属パネル７の各々は、幅方向の一方の端部に形成された嵌合凹部７６と、幅方向の他方の端部に形成された嵌合凸部７８とを備える。嵌合凹部７６の底面７６２および嵌合凸部７８の頂面７８２のうち、いずれか一方にフェンス材６の長手方向に沿った突条部７７が形成されると共に、他方に長手方向に沿った溝部７９が形成されている。複数の金属パネル７のうちの一の金属パネル７の嵌合凸部７８が、隣接する金属パネル７の嵌合凹部７６に嵌め込まれると共に、突条部７７が溝部７９に嵌め込まれる。
【００４０】
この構成によれば、隣り合う金属パネル７同士の連結が、嵌合凹部７６と嵌合凸部７８との連結に加えて、突条部７７と溝部７９との嵌め込みによっても行われる。このため、嵌合凹部７６の公差を大きめに設定しても、突条部７７と溝部７９とが互いに位置決めされることで、隣り合う金属パネル７同士のガタつきが抑制される。この結果、ガタつきによって生じる騒音を抑制することができる。
【００４１】
また、突条部７７と溝部７９とが設けられていることで、金属パネル７の長手方向に対するたわみに強くなる。つまり、突条部７７および溝部７９のリブ効果によって、金属パネル７に正圧または負圧がかかっても、たわみが生じるのを抑制できる。
【００４２】
また、本実施形態のパネルフェンスは、次の付加的な構成を備える。すなわち、本実施形態のパネルフェンスは、突条部７７が嵌合凹部７６の底面７６２に設けられると共に、溝部７９が嵌合凸部７８の頂面７８２に設けられている。
【００４３】
この構成によれば、突条部７７が嵌合凹部７６内に収まり、溝部７９が嵌合凸部７８内に収まるため、運搬時において、突条部７７または溝部７９が他の部材に干渉してしまうのを防ぐことができる。
【００４４】
また、本実施形態のパネルフェンスは、次の付加的な構成を備える。すなわち、本実施形態のパネルフェンスにおいて、突条部７７は、先端側に位置するほど幅狭に形成されている。溝部７９は、開口側に位置するほど幅広に形成されている。
【００４５】
この構成によれば、嵌合凹部７６に嵌合凸部７８が嵌め込まれるときに、突条部７７が溝部７９の開口縁に引っ掛かるのを防ぐことができる。つまり、この構成によれば、溝部７９と突条部７７とが嵌まり込みやすくなり、施工性が損なわれるのを抑制できる。
【００４６】
〔応用〕
上記実施形態の金属パネル７は、嵌合凹部７６が上端部に設けられ、嵌合凸部７８が下端部に設けられたが、上端部に嵌合凸部７８が設けられると共に、下端部に嵌合凹部７６が設けられてもよい。
【００４７】
上記実施形態の金属パネル７は、嵌合凹部７６に突条部７７が設けられ、嵌合凸部７８に溝部７９が設けられたが、嵌合凹部７６に溝部７９が設けられると共に、嵌合凸部７８に突条部７７が設けられてもよい。
【００４８】
その他、上記実施形態の構成は、本発明の主旨を逸脱しない範囲であれば、適宜設計変更を行うことができる。
【符号の説明】
【００４９】
１１      框材
６        フェンス材
７        金属パネル
７６      嵌合凹部
７６２    底面
７７      突条部
７８      嵌合凸部
７８２    頂面
７９      溝部
【図１】
2018123584.tif 000003
【図２】
2018123584.tif 000004
【図３】
2018123584.tif 000005
【図４】
2018123584.tif 000006
【図５】
2018123584.tif 000007